(57)【要約】 【課題】信号光の３次元的な要素を利用して情報を多重記録再生すること。【解決手段】ミラーＭ１で進路を変更された信号光Ｏｂ１はレンズＬ１により集束光となり、空間変調器ＳＬＭ１により空間変調された後、レンズＬ２に入射する。レンズＬ２を光軸方向に移動すると、移動する度に信号光の焦点が異なり、これら焦点が異なる信号光を順次、参照光Ｒｅ１とホログラム記録媒体Ｈ１のところで干渉させて記録する。信号光の焦点を異ならせる毎に空間変調器ＳＬＭ１に表示するデータ、或はデータ配列を異なるものとしておけば、信号光の３次元的な要素、即ち、光軸方向の要素を利用して情報を多重記録できる。また参照光Ｒｅ１をホログラム記録媒体Ｈ１に照射すると、焦点の異なる複数の集束光が生じ、これをレンズＬ２やピンホールを光軸方向に移動することでこれらの集束光を分離してそれぞれを受光して信号に変換して元の情報を再生することができる。【選択図】図１
2006202378.tif 000002
【特許請求の範囲】
【請求項１】
情報によって空間変調された信号光と参照光の干渉縞をホログラム記録媒体に記録するホログラフィック情報記録方法であって、
前記ホログラム記録媒体に対向配置されるレンズを光軸方向に移動することで、同一光軸をもつ複数の焦点の異なる集束光を生成し、
これらの集束光の波面を、それぞれ異なるデータあるいはデータ配列に基づいて空間変調を施した後、前記ホログラム記録媒体に照射して多重露光を実現する、
ことを特徴とするホログラフィック情報記録方法。
【請求項２】
情報によって空間変調された信号光と参照光の干渉縞をホログラム記録媒体に記録するホログラフィック情報記録方法であって、
元のレーザ光を分岐して複数の信号光を生成し、これら信号光をそれぞれレンズを用いて焦点の異なる集束光に変換して、
得られた集束光の波面を、それぞれ異なるデータあるいはデータ配列に基づいて空間変調を施した後、前記ホログラム記録媒体に照射して多重露光を実現する、
ことを特徴とするホログラフィック情報記録方法。
【請求項３】
信号光と再生光の干渉縞を記録するホログラム記録媒体であって、
異なる位置に焦点を有する２つ以上の集束光からなる信号光と参照光で生成される複数の干渉縞を同一記憶領域に多重記録したことを特徴とするホログラム記録媒体。
【請求項４】
情報によって空間変調された信号光と参照光の干渉縞をホログラム記録媒体に記録するホログラフィック情報記録装置であって、
複数の焦点の異なる集束光で形成される信号光を生成する信号光生成手段と、
前記生成される集束光をそれぞれ異なるデータあるいはデータ配列により空間変調する変調手段と、
前記空間変調された信号光を前記ホログラム記録媒体に照射する照射手段とを具備し、
前記信号光生成手段は、前記ホログラム記録媒体に対向配置される対物レンズを光軸方向に移動させて、同一光軸をもつ複数の焦点の異なる集束光を生成するように構成されている、
ことを特徴とするホログラフィック情報記録装置。
【請求項５】
情報によって空間変調された信号光と参照光の干渉縞をホログラム記録媒体に記録するホログラフィック情報記録装置であって、
複数の焦点の異なる集束光で形成される信号光を生成する信号光生成手段と、
前記生成される集束光をそれぞれ異なるデータあるいはデータ配列により空間変調する変調手段と、
前記空間変調された信号光を前記ホログラム記録媒体に照射する照射手段とを具備し、
前記信号光生成手段は、元のレーザ光を分岐して複数の信号光を生成し、これら信号光をそれぞれレンズを用いて焦点の異なる集束光に変換するように構成されている、
ことを特徴とするホログラフィック情報記録装置。
【請求項６】
異なる位置に焦点をもつ複数の集束光から成る信号光と参照光により生じる干渉縞をホログラム記録媒体の同一領域に多重記録したホログラム記録媒体に、参照光を照射して情報を再生するホログラフィック情報再生方法であって、
前記再生参照光を前記ホログラム記録媒体の記録領域に照射して複数の焦点の異なる集束光を再生し、
前記ホログラム記録媒体に対向配置されるレンズを光軸方向に移動することで、前記集束光を順に分離し、
前記分離された集束光をそれぞれ受光素子で信号に変換して、元の情報を得る、
ことを特徴とするホログラフィック情報再生方法。
【請求項７】
異なる位置に焦点をもつ複数の集束光から成る信号光と参照光により生じる干渉縞をホログラム記録媒体の同一領域に多重記録したホログラム記録媒体に、参照光を照射して情報を再生するホログラフィック情報再生方法であって、
前記再生参照光を前記ホログラム記録媒体の記録領域に照射して複数の焦点の異なる集束光を再生してレンズに通し、
前記レンズに対向配置される受光素子を光軸方向に移動することで、前記集束光を順に分離し、
前記分離された集束光をそれぞれ前記受光素子で信号に変換して、元の情報を得る、
ことを特徴とするホログラフィック情報再生方法。
【請求項８】
異なる位置に焦点をもつ複数の集束光から成る信号光と参照光により生じる干渉縞をホログラム記録媒体の同一領域に多重記録したホログラム記録媒体に、参照光を照射して情報を再生するホログラフィック情報再生方法であって、
前記再生参照光を前記ホログラム記録媒体の記録領域に照射して複数の焦点の異なる集束光を再生して前記集束光をそれぞれ分離した後に分岐して、
これら集束光をそれぞれレンズを用いて対応する受光素子に集光して信号に変換して、元の情報を得る、
ことを特徴とするホログラフィック情報再生方法。
【請求項９】
前記集束光の分離は、前記再生光を再度集光して集束光の成分ごとに異なる位置に集束させて、
各集束光の焦点に、その焦点径程度のピンホールを配置して他成分を除去することでなされる、
ことを特徴とする請求項８記載のホログラフィック情報再生方法。
【請求項１０】
異なる位置に焦点をもつ複数の集束光から成る信号光と参照光により生じる干渉縞をホログラム記録媒体の同一領域に多重記録したホログラム記録媒体に、参照光を照射して情報を再生するホログラフィック情報再生装置であって、
前記ホログラム記録媒体から回折光を生成するための参照光を前記ホログラム記録媒体に照射する照射手段と、
前記参照光が照射されたホログラム記録媒体の記録領域から生成される複数の焦点の異なる集束光を分離する分離手段と、
前記分離された再生光から再生データを得る受光手段とを具備し、
前記分離手段は、前記記録領域から生成される複数の焦点の異なる集束光を前記ホログラム記録媒体に対向配置されるレンズを光軸方向に移動して順に分離することでなされる、ことを特徴とするホログラフィック情報再生装置。
【請求項１１】
異なる位置に焦点をもつ複数の集束光から成る信号光と参照光により生じる干渉縞をホログラム記録媒体の同一領域に多重記録したホログラム記録媒体に、参照光を照射して情報を再生するホログラフィック情報再生装置であって、
前記ホログラム記録媒体から回折光を生成するための参照光を前記ホログラム記録媒体に照射する照射手段と、
前記参照光が照射されたホログラム記録媒体の記録領域から生成される複数の焦点の異なる集束光を分離する分離手段と、
前記分離された再生光から再生データを得る受光手段とを具備し、
前記分離手段は、前記受光手段を光軸方向に移動して、焦点の異なる集束光を順に分離する、
ことを特徴とするホログラフィック情報再生装置。
【請求項１２】
異なる位置に焦点をもつ複数の集束光から成る信号光と参照光により生じる干渉縞をホログラム記録媒体の同一領域に多重記録したホログラム記録媒体に、参照光を照射して情報を再生するホログラフィック情報再生装置であって、
前記ホログラム記録媒体から回折光を生成するための参照光を前記記録媒体に照射する照射手段と、
前記参照光が照射されたホログラム記録媒体の記録領域から生成される複数の焦点の異なる集束光を分離する分離手段とを具備し、
前記分離手段は、前記記録領域から生成される複数の焦点の異なる集束光をそれぞれ分岐して複数の再生光を生成し、これら集束光をそれぞれレンズを用いて対応する受光素子に受光させて情報を再生するように構成されている、
ことを特徴とするホログラフィック情報再生装置。
【発明の詳細な説明】
【技術分野】
【０００１】
本発明は、信号光と参照光の干渉縞をホログラム記録媒体に記録するホログラムメモリに係り、特に情報をホログラム記録媒体の同一領域に多重記録する記録、再生方法、および、記録、再生装置に関する。
【背景技術】
【０００２】
ＣＤ、ＤＶＤ、ＢＤ（ブルーレイ・ディスク）等、現在普及している光ストレージ技術は面記録メモリを利用している。近年、マルチメディア技術の発展に伴い、高速かつ大容量メモリの必要性が高まっているが、現行の面記録形の光メモリは、ビット情報と光スポットが照射する記録媒体上のエリアが直接対応しているため、集光限界によって記録容量が制限されている。そこで、更なる高密度の記録を行うためには、同一エリア内に多数の情報を記録する多重記録が必要とされている。
【０００３】
情報をホログラムの形で記録媒体に体積記録するホログラムメモリは、同一エリア内に多重記録が可能な記録媒体として知られている。ここで、ホログラフィとは、光波の振幅、位相情報を同時に記録媒体に記録し、また、再生する技術である。レーザ光のようなコヒーレントな光を物体に照射し、物体光とよばれる物体からの反射光を記録媒体に入射する際に、参照光とよばれる別のコヒーレントな光を同時に記録媒体に入射すると、記録媒体上に干渉縞が形成される。この干渉による光強度分布を屈折率または吸収率の変化として記録媒体中に記録したものがホログラムである。ホログラムが記録された記録媒体に参照光のみを入射すると、ホログラムが回折格子として働き、物体光が再生される（例えば非特許文献１参照）。
【０００４】
ホログラムメモリでは、デジタルデータ（０、１のデータ）を空間変調器のオン／オフ・パターンに変換して、この空間変調器の出力光を物体光（信号光とよばれる）として用いることで、デジタルデータの情報をホログラム記録媒体に記録できる。再生時は、通常のホログラフィと同様、参照光を再生光として用いることで再生像が検出されるので、この像から空間変調器のオン／オフ・パターンと元のデジタルデータを読み取ればよい。このため、ホログラムメモリでは同一エリア内に空間変調器のピクセル分だけの情報を多重することが出来る。
【０００５】
一方、参照光に特徴を持たせることで同一エリア内に参照光の特徴が異なる複数のホログラムを記録することもできる。このように参照光の違いで同一面内に複数のホログラムを記録する多重方式として、角度多重・波長多重・位相多重・シフト多重等が知られている。これらは、直交状態となるような複数の参照光を区別して用いることで各々参照光に対して別の状態が記録できる。
【非特許文献１】IBM J.RES DEVELOP VOL 44 NO.3 MAY 2000  「Holographic datastoragｅ」
【発明の開示】
【発明が解決しようとする課題】
【０００６】
上記のようにホログラム記録を用いると同一エリア内に多重記録を行うことができる。これら従来のホログラム情報記録の多重記録の特徴をまとめると、（１）複数の直交した状態にある参照光を利用した多重記録、（２）信号光の波面を分割して２次元データにすることによる多重記録の二つであることがわかる。しかし、ホログラフィのもう一つの利点である信号光の３次元方向の情報が記録できる点を利用したホログラム情報記録方法および装置は未だ提案されていない。
【０００７】
本発明は前記事情に鑑み案出されたものであって、本発明の目的は、信号光の３次元的な要素を利用して情報を多重記録再生することができるホログラフィック情報記録方法、ホログラフィック情報記録装置、ホログラム記録媒体、ホログラフィック情報再生方法および、ホログラフィック情報再生装置を提供することにある。
【課題を解決するための手段】
【０００８】
本発明は上記目的を達成するため、情報によって空間変調された信号光と参照光の干渉縞をホログラム記録媒体に記録するホログラフィック情報記録方法であって、前記ホログラム記録媒体に対向配置されるレンズを光軸方向に移動することで、同一光軸をもつ複数の焦点の異なる集束光を生成し、これらの集束光の波面を、それぞれ異なるデータあるいはデータ配列に基づいて空間変調を施した後、前記ホログラム記録媒体に照射して多重露光を実現することを特徴とする。
【０００９】
また、本発明は、情報によって空間変調された信号光と参照光の干渉縞をホログラム記録媒体に記録するホログラフィック情報記録方法であって、元のレーザ光を分岐して複数の信号光を生成し、これら信号光をそれぞれレンズを用いて焦点の異なる集束光に変換して、得られた集束光の波面を、それぞれ異なるデータあるいはデータ配列に基づいて空間変調を施した後、前記ホログラム記録媒体に照射して多重露光を実現することを特徴とする。
【００１０】
また、本発明は、異なる位置に焦点をもつ複数の集束光から成る信号光と参照光により生じる干渉縞をホログラム記録媒体の同一領域に多重記録したホログラム記録媒体に、参照光を照射して情報を再生するホログラフィック情報再生方法であって、前記再生参照光を前記ホログラム記録媒体の記録領域に照射して複数の焦点の異なる集束光を再生し、前記ホログラム記録媒体に対向配置されるレンズを光軸方向に移動することで、前記集束光を順に分離し、前記分離された集束光をそれぞれ受光素子で信号に変換して、元の情報を得ることを特徴とする。
【００１１】
また、本発明は、異なる位置に焦点をもつ複数の集束光から成る信号光と参照光により生じる干渉縞をホログラム記録媒体の同一領域に多重記録したホログラム記録媒体に、参照光を照射して情報を再生するホログラフィック情報再生方法であって、前記再生参照光を前記ホログラム記録媒体の記録領域に照射して複数の焦点の異なる集束光を再生してレンズに通し、前記レンズに対向配置される受光素子を光軸方向に移動することで、前記集束光を順に分離し、前記分離された集束光をそれぞれ前記受光素子で信号に変換して、元の情報を得ることを特徴とする。
【００１２】
このように本発明は、焦点の異なる複数の集束光を信号光として用いるものであり、それぞれの集束光は異なるデータ、データ配列に基づいて波面を空間変調されるものであって、共通の参照光と干渉させて、その干渉縞をホログラム記録媒体の同一の記録領域に多重記録し、参照光と同一の再生参照光をホログラム記録媒体に照射して、前記記録領域から発生する前記焦点の異なる集束光をピンホールを用いて焦点毎に分離して受光素子で受光し、信号に変換して元の情報を再生する。
【発明の効果】
【００１３】
本発明によれば、複数の焦点の異なる集束光を信号光として用い、それぞれの集束光は異なるデータ、あるいはデータ配列に基づいて波面に空間変調され、共通の参照光と干渉させて、その干渉縞をホログラム記録媒体の同一の記録領域に記録し、前記参照光と同一の再生参照光をホログラム記録媒体に照射して、前記記録領域から発生する前記焦点の異なる集束光をピンホールを用いて焦点毎に分離して、受光素子で受光し、信号に変換して元の情報を再生することによって、信号光の光軸方向の要素、すなわち、３次元的な要素を利用して情報を多重記録再生することができる。
また、信号光の３次元的要素を利用した多重化であるため、例えば、位相多重、シフト多重、角度多重などの既知の各種多重化方法と併用でき、情報の記録密度を向上させることができる。
さらに、焦点の異なる集束光は単一のレンズの移動で実現でき、再生光の分離はピンホールとレンズを移動することで実現できるので、簡単且つ安価な構成で多重記録再生を実現することができる。
【発明を実施するための最良の形態】
【００１４】
信号光の３次元的な要素、すなわち、光軸方向の要素を利用して情報を多重記録再生するという目的を、複数の焦点の異なる集束光による信号光を用い、それぞれの集束光は異なるデータ、あるいは、データ配列でその波面に空間変調を施された後、共通の参照光と干渉させて、その干渉縞をホログラム記録媒体の同一の記録領域に記録し、前記参照光と同一の再生参照光をホログラム記録媒体に照射して、発生する焦点の異なる集束光をピンホールを用いて焦点毎に分離して受光して信号に変換して、元の情報を再生することで実現した。
【実施例１】
【００１５】
図１は、本発明の第１の実施形態に係るホログラフィック情報記録装置の構成を示したブロック図である。ホログラフィック情報記録装置は、レーザ光源ＬＤ１と、ビームスプリッタＢＳ１と、ミラーＭ１、Ｍ２と、レンズＬ１、Ｌ２、および空間変調器ＳＬＭ１と、ホログラム記録媒体Ｈ１によって構成されている。
【００１６】
図２は上記したホログラム記録媒体Ｈ１の構成を示した斜視図である。ホログラム記録媒体Ｈ１は、ラスやポリカーボネートなどの透明材質で形成された透明基板５０の一面に光誘起複屈折性を示す記録層５１を形成して構成する。信号光および参照光は、この記録層５１側に照射される。ホログラム記録媒体Ｈ１は厚みに比べて十分大きな拡がり有するように形成して、基板一面に一様に塗布されるようにする。また、透明基板５０はディスク形状などとする。
【００１７】
記録層５１は前述のように光誘起屈折性を示す材料とする。例えば、側鎖に光異性化する基を有する高分子または高分子液晶、または光異性化する分子を分散させた高分子が挙げられる。このような材料による記録層は、たとえば溶液を基板上にキャストし、スピンコートするなどして乾燥させて作製する。
【００１８】
次に本実施形態の動作について説明する。レーザ光源ＬＤ１から出力されたレーザ光（平面波、非集束光）は、通常のホログラム記録と同様にビームスプリッタＢＳ１により信号光Ｏｂ１と参照光Ｒｅ１とに分岐される。参照光Ｒｅ１は、通常のホログラムと同様にホログラム記録媒体Ｈ１を照射するように構成されている。ここでは、参照光Ｒｅ１がホログラム記録媒体Ｈ１に照射されるように、ミラーＭ２によりその光路が決められている。
【００１９】
上記参照光Ｒｅ１は非集束光とし、さらに波面は平面波であって、なんら変調は受けていないものとする。なお、たとえば、この参照光Ｒｅ１を、位相多重が可能な状態に構成する、或いは、角度多重が可能となるように構成することもできるが、本実施形態ではこれらの形態については特に限定しない。また、レンズを用いて参照光をホログラム記録媒体Ｈ１上に集光することも可能であるが、これも本実施形態では特に限定はしない。
【００２０】
一方、信号光Ｏｂ１は光路を調整するためのミラーＭ１によって反射された後、レンズＬ１によって焦点ｆ１に集光される。この集光位置には、空間変調器ＳＬＭ１が設置されている。この空間変調器ＳＬＭ１は透過型のもので、液晶の２次元配列を用いてビットデータを多重化したものが使われることが一般的である。複雑さを避けるために上記の液晶配列型変調器を用いず、スポットの位置にピンホール状に用意した透過、半（非）透過の区別によって１ビットのデータを表すものであってもよい。信号光Ｏｂ１は空間変調器ＳＬＭ１を通るときに表示パターン（データページ）により空間変調され、このパターンが信号光上に転写される。
【００２１】
空間変調器ＳＬＭ１を経た信号光は、空間変調器ＳＬＭ１より２×ｆ２離れた位置にある焦点ｆ２のレンズＬ２に入射される。これにより、信号光は再度集光されてレンズＬ２より２×ｆ２だけ離れたホログラム記録媒体Ｈ１上に照射される。ホログラム記録媒体Ｈ１上では、上記の信号光と参照光が集光されて２つの光の干渉に応じた光強度分布が発生する。これの強度分布はホログラム層を形成する光誘起屈折媒体材料に干渉縞として記録される。
【００２２】
次にレンズＬ２と空間変調器ＳＬＭ１の間の長さを２×ｆ２からδｘだけ小さくする。このときδｘを適当にとれば、レンズＬ２を通した像はＬ２から２×ｆ２−δｘ（δｘが充分小さいときの近似で）の位置に出来るので、ホログラム記録媒体Ｈ１上にできる干渉縞は、δｘ＝０のときと異なるものとなる。これらの干渉縞から、後述する再生方法（再生装置）によって像を再生すると、各信号光の再生光は焦点の位置が異なるため、異なるδｘで再生した像はピンボケを起こす。その結果、焦点の異なる再生光ごとに再生像を分離することが可能になる。
【００２３】
本実施形態によれば、空間変調器ＳＬＭ１に表示されたデータページ（データ或いはデータ配列により構成される）により空間変調された信号光をレンズＬ２によりホログラム記録媒体Ｈ１に集光する際に、レンズＬ２を光軸方向に適当な距離移動させることにより信号光の焦点の位置を変化させ、変化させる毎に信号光を異なるデータページにより空間変調することで、複数のデータページをホログラム記録媒体Ｈ１の同一記録領域に多重記録することができる。
【００２４】
尚、空間変調器ＳＬＭ１は図示を略したコンピュータなどに接続され、このコンピュータからデータが供給されるものとする。
【実施例２】
【００２５】
図３は、本発明の第２の実施形態に係るホログラフィック情報記録装置の構成を示したブロック図である。但し、第１の実施形態と同様の部分には同一符号を付して説明する。本ホログラフィック情報記録装置は、レーザ光源ＬＤ１と、ビームスプリッタＢＳ１、ＢＳ２、ＢＳ３と、透過型の空間変調器ＳＬＭ１、ＳＬＭ２、ＳＬＭ３と、レンズＬ３、Ｌ４、Ｌ５、Ｌ６と、ミラーＭ１、Ｍ２と、ハーフミラーＭ３、Ｍ４と、ホログラム記録媒体Ｈ１によって構成されている。
【００２６】
次に本実施形態の動作について説明する。レーザ光源ＬＤ１から出力されたレーザ光（平面波、非集束光）は、通常のホログラム記録と同様にビームスプリッタＢＳ１、ＢＳ２、ＢＳ３により信号光Ｏｂ１、Ｏｂ２、Ｏｂ３と参照光Ｒｅ１とに分岐される。参照光Ｒｅ１は、通常のホログラムと同様にホログラム記録媒体Ｈ１を照射するように構成されている。ここでは、参照光Ｒｅ１がホログラム記録媒体Ｈ１に照射されるように、ミラーＭ２を用いて光路が決められている。また、参照光Ｒｅ１は非集束光とし、さらに波面は単なる平面波であって、なんら変調は受けていないものとする。
【００２７】
なお、たとえば、この参照光Ｒｅ１を位相多重が可能な状態に構成する、或いは、角度多重が可能となるように構成することもできるが、本実施形態ではこれらの構成については特に限定しない。また、レンズを用いて参照光Ｒｅ１をホログラム記録媒体Ｈ１上に集光することも可能であるが、これも本実施形態では特に限定はしない。
【００２８】
一方、ビームスプリッタＢＳ１、ＢＳ２、ＢＳ３によって分離された参照光Ｏｂ１、Ｏｂ２、Ｏｂ３は、それぞれ別々にレンズＬ３、Ｌ４、Ｌ５に入射される。従って、信号光Ｏｂ１、Ｏｂ２、Ｏｂ３は、図３の光学系では、それぞれ別の位置に焦点を生じるため三つの焦点が発生するが、この三つの焦点の位置が、ＳＬＭ１、ＳＬＭ２、ＳＬＭ３の位置に一致するように調整する。この調整は、例えばレンズＬ３、Ｌ４、Ｌ５の焦点距離を変更し、或いは、配置する位置を微調整することによって行う。
【００２９】
空間変調器ＳＬＭ１、ＳＬＭ２、ＳＬＭ３は、透過型のもので、さらに様々な問題を避ける為に、中心に０、１を現す透過率変化を実現できる変調器があって、それ以外の場所は透明材料であるものとする。
【００３０】
空間変調器ＳＬＭ１、ＳＬＭ２、ＳＬＭ３を経た信号光Ｏｂ１、Ｏｂ２、Ｏｂ３はレンズＬ４に入射されて、再び集光されるが、その焦点はそれぞれ異なるものとなる。したがって、ホログラム記録媒体Ｈ１にはそれぞれ異なる干渉縞が記録される。これらを再生すると、異なる焦点位置にあった空間変調器ＳＬＭの状態を再生した像は、ピンボケを起こすため焦点の位置によって像を区別することが可能になり、多重記録が実現される。
【００３１】
本実施形態では、焦点の異なる複数の集束光Ｏｂ１、Ｏｂ２、Ｏｂ３を同時に生成してホログラム記録媒体Ｈ１に照射することができ、多重記録速度を第１の実施形態のそれに比べて向上させることができる。また、レンズを移動させる機械的な可動部分がないため、装置の信頼性を向上させることができる。さらに第１の実施形態のように多重露光を必要とせず、一度に多重露光に相当することが実現できるため、第１の実施形態と比べて、ホログラム記録媒体Ｈ１での感光時間の調整を格段に容易にすることができる。また、参照光の多重化によくあるような多重露光によってホログラム記録媒体Ｈ１上に生成される干渉縞が消えてしまうなどの課題を回避することができる。また、レンズを移動させる機械的な可動部分がないため、装置の信頼性を向上させることができる。また、空間変調器ＳＬＭ１、ＳＬＭ２、ＳＬＭ３は、それぞれ図示を略したコンピュータなどに接続され、このコンピュータからデータが供給されるものとする。
【００３２】
また、空間変調器ＳＬＭには、液晶等の電気光学変換材料の両面に透明電極を形成した透過型の空間変調器を用いることができる。たとえば、プロジェクタ用の液晶パネルを挙げられる。これらの液晶パネルは、液晶の両面に電極を形成した透過型の液晶セルを備え、さらに液晶セルの両側には、偏光板が配置されている。
【００３３】
また、この多重記録方式は、位相多重や、角度多重や、シフト多重など、他の参照光を多重化する多重記録方式と併用して実施することも可能である。
【実施例３】
【００３４】
図４は、本発明の第３の実施形態に係るホログラフィック情報記録装置の構成を示したブロック図である。但し、第２の実施形態と同様の部分には同一符号を付して説明する。本ホログラフィック情報記録装置は、レンズＬ３、Ｌ４、Ｌ５の位置を上記の図３に示した位置からビームスプリッタＢＳ１、ＢＳ２、ＢＳ３とミラーＭ１、ハーフミラーＭ３、Ｍ４の間に移動した構成とすることにより、レンズＬ３、Ｌ４、Ｌ５の配置が第２の実施形態に比べて、焦点の異なる他の信号に影響しないようになる。それ故、これらレンズの調整が格段に容易になり、信号光Ｏｂ１、Ｏｂ２、Ｏｂ３の焦点の調整を図３の構成に比べて容易にすることができ、装置の操作性を向上させることができる。他の効果は図３に示した第２の実施の形態と同様である。
【実施例４】
【００３５】
図５は、本発明の第４の実施形態に係るホログラフィック情報再生装置の構成を示したブロック図である。本実施形態のホログラフィック情報再生装置は、レーザ光源ＬＤ１と、ミラーＭ２と、移動可能なレンズＬ８と、ホログラム記録媒体Ｈ１と、電荷結合素子カメラＣＣＤ１によって構成されている。ここで、ホログラム記録媒体Ｈ１は、上記した第１、第２の実施形態で説明したいずれの記録方式で記録されたものであってもよい。
【００３６】
レーザ光源ＬＤ１から出力されたレーザ光（平面波、非集束光）は、ミラーＭ２を経てホログラム記録媒体Ｈ１に再生参照光として照射される。これにより、通常のホログラム再生同様、信号光の方向、すなわち、レンズＬ８の方向に回折が生じて再生光が生成される。この再生光は、第１、第２の実施形態の方法でデータが多重記録されたホログラム記録媒体Ｈ１の再生像なので平面波ではなく、幾つかの異なる中心を持った球面波となって放射状に広がっていき、レンズＬ８に入射される。
【００３７】
レンズＬ８は、記録時のレンズＬ２とほぼ同じ位置に配置しておく。これにより、レンズＬ８はホログラム記録媒体Ｈ１から広がっていった再生光を再び集めて集光する。そして図１の記録装置で空間変調器ＳＬＭ１が配置されていた場所におかれた電荷結合素子カメラＣＣＤ１面に集光される。以上によって記録された多重情報の一つは再生されるが、このとき他の球面波からの情報はピンボケしている。それ故、多重記録時の焦点が異なる信号光の影響は、電荷結合素子カメラＣＣＤ１上では充分小さい。これにより、電荷結合素子カメラＣＣＤ１に焦点が合っている信号光に転写された情報のみが再生される。
【００３８】
次にたとえば電荷結合素子カメラＣＣＤ１の位置を固定し、レンズＬ８の位置のみを移動する。これにより、他の再生光の焦点が電荷結合素子カメラＣＣＤ１の位置で合って、このとき電荷結合素子カメラＣＣＤ１は、この信号光を受光して転写されているデータを再生する。同様に、レンズＬ８の位置を順次動かして、さらに他の信号光の焦点を電荷結合素子カメラＣＣＤ１上に位置させることにより、ホログラム記録媒体Ｈ１に多重されたデータ、或いはデータ配列が電荷結合素子カメラＣＣＤ１により順に再生されていく。以上によって、多重化された再生像を読み出すことができる。
【００３９】
本実施形態によれば、第１、第２の実施形態でホログラム記録媒体Ｈ１に多重記録された複数のデータページの中から所望の一枚をレンズＬ８を光軸方向に移動して分離することができる。
【００４０】
なお、上記実施形態ではレンズＬ８を光軸方向に移動して、焦点が異なる再生光を分離したが、レンズＬ８を固定し、電荷結合素子カメラＣＣＤ１の位置を光軸方法に移動して、焦点が異なる再生光のそれぞれの焦点に電荷結合素子カメラＣＣＤ１を位置させることにより、焦点が異なる信号光に対応する再生光に転写されているデータを分離して再生することができる。
【実施例５】
【００４１】
図６は、本発明の第５の実施形態に係るホログラフィック情報再生装置の構成を示したブロック図である。但し、第４の実施形態と同様の部分には同一符号を付して説明する。ホログラフィック情報再生装置は、ミラーＭ１、Ｍ２と、ハーフミラーＭ３、Ｍ４と、レンズＬ８、Ｌ９、Ｌ１０、Ｌ１１、Ｌ１２、Ｌ１３、Ｌ１４と、ホログラム記録媒体Ｈ１と、電荷結合素子カメラＣＣＤ１、ＣＣＤ２、ＣＣＤ３によって構成されている。ここで、ホログラム記録媒体Ｈ１は、上記した第１、第２の実施形態で説明したいずれの記録方式で記録されたものであってもよい。
【００４２】
次に本実施形態の動作について説明する。レーザ光源ＬＤ１から出力された非集束光は、ミラーＭ２を経てホログラム記録媒体Ｈ１に再生参照光Ｒｅ１として照射される。これにより、通常のホログラム再生同様、信号光の方向、すなわち、レンズＬ８の方向に回折が生じて再生光が発生する。この再生光は、第１または第２の実施形態で記録されたホログラム記録媒体Ｈ１の再生像なので集束光であり、幾つかの異なる中心を持った球面波となって放射状に広がっていく。
【００４３】
レンズＬ８は、記録時の対物レンズとほぼ同じ位置に配置しておく。これにより、レンズＬ８はホログラム記録媒体Ｈ１から広がっていった再生光を再び集めて集光する。焦点を通過して広がった再生光は再生分離用のレンズＬ１１、Ｌ１０、Ｌ９により平面波になり、ハーフミラーＭ４により一部が反射してその進行方向が変更され、レンズＬ１４により電荷結合素子カメラＣＣＤ３に集光され、さらに、ハーフミラーＭ３により再生光の一部が反射してその進行方向が変更され、レンズＬ１３により電荷結合素子カメラＣＣＤ２に集光される。最後に、ミラーＭ１により再生光が反射してその進行方向が変更され、レンズＬ１２により電荷結合素子カメラＣＣＤ１に集光される。
【００４４】
ここで、ホログラム記録媒体Ｈ１から発生する再生光は、異なる焦点を有する信号光に対応して記録されてホログラムに対応する再生光をすべて含んでいるが、レンズＬ１２、Ｌ１３、Ｌ１４は焦点距離や配置される位置により、それぞれの再生光を分離して電荷結合素子カメラＣＣＤ１、ＣＣＤ２、ＣＣＤ３に集光するように調整されている。
【００４５】
これにより、ホログラム記録媒体Ｈ１に信号光の焦点位置が異なるようにして多重記録されたデータページがそれぞれ分離されて、電荷結合素子カメラＣＣＤ１〜ＣＣＤ３により受光される。各電荷結合素子カメラでは、その画素と、記録時の空間変調器の画素の位置が調整されて元のデータページが検出されることで、多重記録されたデータが再生される。以上のようにして検出されたデータはパソコンなどに取り込まれる。
【００４６】
本実施形態によれば、再生参照光Ｒｅ１をホログラム記録媒体Ｈ１に照射するだけで、ホログラム記録媒体Ｈ１に多重記録された複数のデータページを同時に再生することができる。その際に、第３、第４の実施形態のようにレンズなどの光学部品を移動させることがないため、装置の信頼性を向上させることができる。
【実施例６】
【００４７】
図７は、本発明の第６の実施形態に係るホログラフィック情報再生装置の構成を示したブロック図である。但し、第４の実施形態と同様の部分には同一符号を付して説明する。本ホログラフィック情報再生装置は、レンズＬ１６、Ｌ１７、Ｌ１８の挿入位置を第５の実施形態の位置からビームスプリッタＢＳ１、ＢＳ２、ＢＳ３とミラーＭ１、ハーフミラーＭ３、Ｍ４の間に移動した構成を有している。
【００４８】
本実施形態の構成によれば、レンズＬ１６、Ｌ１７、Ｌ１８の配置が第４の実施形態に比べて、他の焦点を有する再生光に影響されずに、これらレンズを独立に調整することができ、各再生光の集光点を対応する電荷結合素子カメラＣＣＤ１〜ＣＣＤ３に容易且つ精度よく合わせることができ、装置の操作性を向上させることができる。
【００４９】
尚、本発明は上記実施形態に限定されることなく、その要旨を逸脱しない範囲において、具体的な構成、機能、作用、効果において、他の種々の形態によっても実施することができる。例えば、上記実施形態は信号光の３次元的要素を利用した多重化であるため、位相多重、シフト多重、角度多重などの参照光側を操作して得られる多重化と併用することができ、従来よりも高密度なホログラムメモリを実現することができる。
【図面の簡単な説明】
【００５０】
【図１】本発明の第１の実施形態に係るホログラフィック情報記録装置の構成を示したブロック図である。
【図２】図１に示したホログラム記録媒体の構成例を示した斜視図である。
【図３】本発明の第２の実施形態に係るホログラフィック情報記録装置の構成を示したブロック図である。
【図４】本発明の第３の実施形態に係るホログラフィック情報記録装置の構成を示したブロック図である。
【図５】本発明の第４の実施形態に係るホログラフィック情報再生装置の構成を示したブロック図である。
【図６】本発明の第５の実施形態に係るホログラフィック情報再生装置の構成を示したブロック図である。
【図７】本発明の第６の実施形態に係るホログラフィック情報再生装置の構成を示したブロック図である。
【符号の説明】
【００５１】
５０……透明基板、５１……記録層、ＢＳ１〜ＢＳ３……ビームスプリッタ、ＣＣＤ１〜ＣＣＤ３……電荷結合素子カメラ、Ｈ１……ホログラム記録媒体、Ｌ１〜Ｌ１８……レンズ、ＬＤ１……レーザ光源、Ｍ１、Ｍ２……ミラー、Ｍ３、Ｍ４……ハーフミラー、ＳＬＭ１〜ＳＬＭ３……空間変調器。
【図１】
2006202378.tif 000003
【図２】
2006202378.tif 000004
【図３】
2006202378.tif 000005
【図４】
2006202378.tif 000006
【図５】
2006202378.tif 000007
【図６】
2006202378.tif 000008
【図７】
2006202378.tif 000009